(57)【要約】【課題】信頼性の高い、新たな構造のインダクタンス素子を提供すること。【解決手段】インダクタンス素子１４ａは、トロイダル形状の磁気コア１５と、磁気コア１５の表面を覆う導体１６ａと、導体１６ａを覆う誘電体２２ａと、誘電体２２ａに被覆導線１７，１８を直接巻回してなるコイルと、導体１６ａから引き出されたグランド端子２１を備えている。導体１６ａは、実使用時に該磁気コアを磁束が貫く方向に直交する面内において切欠部１６ａ１を有している。導体１６ａに代えて、導体ケースを用いても良い。【選択図】図３
2008098307.tif 000002
【特許請求の範囲】
【請求項１】
磁気コアと、実使用時に該磁気コアを磁束が貫く方向に直交する面内において切欠部を有するようにして前記磁気コアの表面を覆う導体と、該導体を覆う誘電体と、該誘電体に少なくとも一本の被覆導線を直接巻回してなるコイルとを備えたインダクタンス素子。
【請求項２】
前記導体は、前記磁気コア上に、金属メッキ、金属蒸着若しくは金属スパッタリングにより形成された導電性被覆であるか、又は、導電性塗料を塗布することにより形成された導電性被覆である、請求項１記載のインダクタンス素子。
【請求項３】
前記導電性被覆は、銅、アルミニウム、銀若しくは金のいずれか又はそれらの金属を含む合金若しくは金属樹脂複合体である、請求項２記載のインダクタンス素子。
【請求項４】
前記導体は、前記切欠部を有する導体ケースであり、前記磁気コアは該導体ケースに収容されている、請求項１記載のインダクタンス素子。
【請求項５】
前記導体に接続されたグランド端子を更に備えている、請求項１乃至請求項４のいずれかに記載のインダクタンス素子。
【請求項６】
前記誘電体は、前記導体により覆われた前記磁気コアを収容する絶縁性ケース若しく絶縁性ボビン又は前記導体により覆われた前記磁気コアを包含するようにして形成された絶縁性モールドからなる、請求項１乃至請求項５のいずれかに記載のインダクタンス素子。
【請求項７】
請求項１乃至請求項６のいずれかに記載のインダクタンス素子を備えたフィルタ回路。
【請求項８】
請求項７記載のフィルタ回路を備えたスイッチング電源装置。
【発明の詳細な説明】
【技術分野】
【０００１】
本発明は、主として交流線（ＡＣライン）等においてノイズフィルタとして用いられるインダクタンス素子に関する。
【背景技術】
【０００２】
インダクタンス素子が高周波領域にて用いられる際にコイルの線間容量がノイズ抑制に与える悪影響を排除するために、磁気コアを接地すると共に接地された磁気コアに被覆導線を直接巻回することでコイルを形成する技術が提案されている（例えば、特許文献１及び特許文献２参照）。
【０００３】
これに対して、被覆導線における被覆の耐電圧などを問題とし、接地導体を形成された磁気コア上に、誘電体及び近接導体を順に形成し、更にその上に被覆導線を巻回することにより、磁気コアと被覆導線とを離し、それによって信頼性を高めたものも提案されている（特許文献３参照）。
【０００４】
【特許文献１】特開平９−１０２４２６号公報
【特許文献２】特開２００４−３１１８６６号公報
【特許文献３】特開２００４−２３５７０９号公報
【発明の開示】
【発明が解決しようとする課題】
【０００５】
本発明は、コストアップを招くことなく信頼性を更に高めるべく特許文献３記載の構造を再検討し、改良された構造を有するインダクタンス素子を提供することを目的とする。
【課題を解決するための手段】
【０００６】
本発明は、上述した課題を解決するための手段として、磁気コアと、実使用時に該磁気コアを磁束が貫く方向に直交する面内において切欠部を有するようにして前記磁気コアの表面を覆う導体と、該導体を覆う誘電体と、該誘電体に少なくとも一本の被覆導線を直接巻回してなるコイルとを備えたインダクタンス素子を提供する。
【発明の効果】
【０００７】
特許文献３によれば誘電体と被覆導線との間に近接導体を設けなければならないこととされていたが、製造工程において被覆導線の被覆が誤って剥げてしまった場合、近接導体により意図せぬショートが生じてしまう恐れがある。
【０００８】
これに対して、本発明によれば、誘電体上に被覆導線を直接巻回することとしたので、特許文献３の技術の有していた問題点は解決された上、近接導体形成プロセスを省略することができることから、コスト削減をも図ることができる。
【０００９】
また、本発明は、導体により十分な容量を有するキャパシタをインダクタに対して負荷することができることから、インダクタンス素子単独でもフィルタを構成することができる。なお、このことは、本発明によるインダクタンス素子とキャパシタとを組み合わせてフィルタを構成することを制限するものではない。
【発明を実施するための最良の形態】
【００１０】
以下、本発明の実施の形態について図面を用いて詳細に説明する。以下に説明する実施の形態におけるインダクタンス素子は、コモンモード用のものであり、被覆導線を２本備えて構成したものであるが、本発明はこれに限定されるものではなく、被覆導線を１本のみ用いたノーマルモード用のインダクタンス素子にも適用可能である。
【００１１】
（第１の実施の形態）
図１乃至図３に示されるように、本発明の第１の実施の形態によるインダクタンス素子１４ａは、トロイダル形状の磁気コア１５と、磁気コア１５の表面を覆う導体１６ａと、導体１６ａを覆う誘電体２２ａと、誘電体２２ａに被覆導線１７，１８を直接巻回してなるコイルと、導体１６ａから引き出されたグランド端子２１を備えている。
【００１２】
被覆導線１７，１８は、例えば、ウレタン線又はエナメル線からなる。尚、被覆導線１７，１８のリード部分は、実際には等間隔に引き出されるものであるが、図１においては、理解を容易にするために幾分間隔をずらして示してある。
【００１３】
図３に示されるように、導体１６ａは、実使用時に該磁気コアを磁束が貫く方向に直交する面内において切欠部１６ａ１を有している。この切欠部１６ａ１は、導体１６ａがショートリングとして機能してしまうことを防止するためのものである。
【００１４】
本実施の形態における導体１６ａは、磁気コア１５上に銅をメッキすることにより形成されたものである。導体１６ａは、銅に代えて、例えば、アルミニウム、銀若しくは金のいずれか、又はそれらの金属を含む合金若しくは金属樹脂複合体であっても良い。導体１６ａは、メッキに代えて、蒸着若しくはスパッタリングにより形成されても良いし、導電性塗料を磁気コア１５上に塗布することにより形成することとしても良い。
【００１５】
なお、被覆導線１７，１８と導体１６ａとの間に形成される容量は、被覆導線１７，１８の巻回数（ターン数），太さ，長さや、磁気コア１５ａの大きさ，材料特性等により適宜変更することが可能である。
【００１６】
また、本実施の形態における導体１６ａは、切欠部１６ａ１に相当する部分を除き、磁気コア１５の全面を覆っているが、本発明はこれに制限されるものではない。例えば、図４に示されるように、導体１６ｂを磁気コア１５の外周面上の一部のみを覆うように構成しても良い。
【００１７】
（第２の実施の形態）
図５乃至図７に示されるように、本発明の第２の実施の形態によるインダクタンス素子１４ｃは、トロイダル形状の磁気コア１５と、磁気コア１５を収容する導体ケース１６ｃと、導体ケース１６ｃを覆う誘電体２２ｃと、誘電体２２ｃに被覆導線１７，１８を直接巻回してなるコイルと、導体ケース１６ｃに電気的に接続されたグランド端子２１を備えている。
【００１８】
被覆導線１７，１８は、例えば、ウレタン線又はエナメル線からなる。尚、被覆導線１７，１８のリード部分は、実際には等間隔に引き出されるものであるが、図５においては、理解を容易にするために幾分間隔をずらして示してある。
【００１９】
導体ケース１６ｃは、磁気コア１５の表面をほぼ全面に亘って覆っている。但し、図３に示されるように、導体ケース１６ｃは、実使用時に該磁気コアを磁束が貫く方向に直交する面内において切欠部１６ｃ１を有している。この切欠部１６ｃ１は、導体ケース１６ｃがショートリングとして機能してしまうことを防止するためのものである。
【００２０】
なお、被覆導線１７，１８と導体ケース１６ｃとの間に形成される容量は、導体ケース１６ｃの形状、被覆導線１７，１８の巻回数（ターン数），太さ，長さや、磁気コア１５ａの大きさ，材料特性等により適宜変更することが可能である。
【００２１】
上述した実施の形態においては、誘電体２２ａ〜２２ｃは、塗布又はモールド等により形成したものであってもよく、また、導体１６ａ〜１６ｃにより覆われた磁気コア１５を収容するような絶縁性ケースで構成しても良い。
【００２２】
加えて、上述した実施の形態においては、トロイダル状の磁気コア１５を有するものについて説明してきたが、例えば、Ｉコア、Ｅコア、Ｏコアなどであってもよく、誘電体を絶縁性ボビンで形成しても良い。この場合、表面に導体を形成された磁気コアを絶縁性ボビンに挿入し、当該絶縁性ボビン上に被覆導線を巻回することとなる。この場合も、例えば、特許文献１の構成とは異なり、被覆導線と接地用導体との間に絶縁性ボビンが介在することになるため、被覆導線が傷ついたとしてもショートしてしまうことはない。
【産業上の利用可能性】
【００２３】
本発明は、例えば、ノイズフィルタやノイズフィルタを備えたスイッチング電源装置に適用することができる。
【図面の簡単な説明】
【００２４】
【図１】本発明の第１の実施の形態によるインダクタンス素子を示す正面図である。
【図２】図１に示されるインダクタンス素子を紙面に平行な面に沿って切った場合の断面図である。
【図３】図１に示されるインダクタンス素子を径方向に沿って切った場合の断面図である。
【図４】図１に示されるインダクタンス素子の変形例を示す図である。
【図５】本発明の第２の実施の形態によるインダクタンス素子を示す正面図である。
【図６】図５に示されるインダクタンス素子を紙面に平行な面に沿って切った場合の断面図である。
【図７】図５に示されるインダクタンス素子を径方向に沿って切った場合の断面図である。
【符号の説明】
【００２５】
１４ａ，１４ｂ，１４ｃ  インダクタンス素子
１５  磁気コア
１６ａ，１６ｂ  導体
１６ｃ  導体ケース
１７，１８  被覆導線
２１  グランド端子
２２ａ，２２ｂ，２２ｃ  誘電体
【図１】
2008098307.tif 000003
【図２】
2008098307.tif 000004
【図３】
2008098307.tif 000005
【図４】
2008098307.tif 000006
【図５】
2008098307.tif 000007
【図６】
2008098307.tif 000008
【図７】
2008098307.tif 000009